(57)【要約】【課題】選別により規格外になった部分を他に転用することで、当該納入ロットの価格をあげることなく、ＦＴＴＰで要求される低接続損失光コネクタを組み込むことができ、もってＦＴＴＰの普及、促進に大いに貢献することができる。【解決手段】下限値２及び上限値１が規定されたロット単位で納入する部品の販売方法であって、納入されるロット単位での寸法もしくは特性値の階級毎の度数分布が、モード３から最小頻度の階級値６を引いた値が正であり上限値１がモード３近傍でモード３より大きな値とするか、あるいはモード３から最小頻度の階級値６を引いた値が負であり下限値２がモード３近傍でモード３より小さな値とする。【選択図】図１
2005316522.tif 000002
【特許請求の範囲】
【請求項１】
寸法または特性値の上限値及び下限値が規定されたロット単位で部品を納入する販売方法であって、納入されるロット単位での寸法もしくは特性値の階級毎の度数分布が、モードから最小頻度の階級値を引いた値が正であり、上限値がモード近傍でモードより大きな値であることを特徴とする部品の販売方法。
【請求項２】
寸法または特性値の上限値及び下限値が規定されたロット単位で部品を納入する販売方法であって、納入されるロット単位での寸法もしくは特性値の階級毎の度数分布が、モードから最小頻度の階級値を引いた値が負であり、下限値がモード近傍でモードより小さな値であることを特徴とする部品の販売方法。
【請求項３】
上限値間近の階級の度数と下限値間近の階級の度数との比が５以上であることを特徴とする請求項１または２に記載の部品の販売方法。
【請求項４】
モード近傍でありかつモードより大きな値、もしくはモード近傍でありかつモードより小さな値は、上限値と下限値の差の３５％以内であることを特徴とする請求項１〜３のいすれかに記載の部品の販売方法。
【請求項５】
納入部品の、ロット毎の寸法もしくは特性値の分布データ、および価格と納期を格納するデータベース部と、
顧客側の要求仕様を入力する入力手段部と、
該入力手段部から得た情報に基づき、前記データベース部から必要情報を取り出し、最適な寸法もしくは特性値の分布データを有する部品ロット及びその下限値及び上限値をシミュレータにより選定するシミュレーション部と、
選定した最適な部品ロットの、寸法もしくは特性値の分布データ、および納期と価格からなる見積書を表示する出力手段部とを有することを特徴とする請求項１〜４のいずれかに記載の部品の販売方法。
【請求項６】
上記入力手段部と出力手段部とが同一のワークステーション部からなることを特徴とする請求項５記載の部品の販売方法。
【請求項７】
上記データベース部と、入力手段部と、シミュレーション部と、出力手段部と、生産管理部のうち少なくとも２以上がインターネット部を介して情報を送受することを特徴とする請求項５〜６のいずれかに記載の部品の販売方法。
【請求項８】
上記データベース部と、入力手段部と、シミュレーション部と、出力手段部のうち少なくとも２以上が同一のマシン上にあることを特徴とする請求項５〜７のいずれかに記載の部品の販売方法。
【請求項９】
上記部品が光コネクタ用部品であることを特徴とする請求項１〜８のいずれかに記載の部品の販売方法。
【請求項１０】
上記部品がフェルールであり、寸法として内径の値を用いることを特徴とする請求項１〜９のいずれかに記載の部品の販売方法。
【発明の詳細な説明】
【技術分野】
【０００１】
本発明は、ロット単位で納入する部品の販売方法に関し、特に光通信の伝送手段として用いられている光ファイバの接続に応用されている光コネクタの部品であるフェルールの販売方法に関する。
【背景技術】
【０００２】
近年の光通信市場の流れは、光通信の最終的な目標であるファイバー・ツー・ザ・プレミアス（以降ＦＴＴＰと称す）の推進が進められている。該ＦＴＴＰを進めるに当たって、その経済性を追求すると、通信方式として３２分岐を基準とするＰＯＮ方式が有力になってきている。該ＰＯＮ方式を採用するなかで、米国の地域性を考慮すると、通信システムとしての光出力としてダイナミックレンジで２５ｄＢ以下で２０Ｋｍの距離に対応する必要がある。この要求に対し、分岐器による損失は１７．５ｄＢ、２０Ｋｍの線路による損失３ｄＢ、コネクタの接続損失を４箇所の接続ポイントを想定して合計０．５ｄＢ、スプライスの接続点による損失２ｄＢ、マージン１ｄＢが各光デバイスに割り当てられたパワーバジェットとなる。
【０００３】
このような要求において、光コネクタの接続損失が、従来のような１接続で０．５ｄＢという特性では、ＦＴＴＰでの通信システムの構築は困難であり、また光出力のダイナミックレンジを上げることは、高価な光モジュールを使わなければならなくなり、通信システム全体のコストを上昇させることとなり、経済性が最重要課題となっているＦＴＴＰの実現に対して大きな課題となっている。
【０００４】
したがって、ＦＴＴＰ実現のために、経済性を満たしかつ性能を満足させるためには、光コネクタの接続損失を低減することがもっとも有効な手段であることから、光コネクタの接続損失の低減が大きく叫ばれるようになってきている。
【０００５】
この光コネクタは光ファイバ同士の接続に用いられており、プラグ１０は、図６に示すように円筒形のフェルール１１に光ファイバ保護具１２が予め固定されており、フェルール１１に形成された貫通孔１１ａに被覆を除去した光ファイバ１３の先端部分を挿入し、接着剤１４により保持固定し、一対のフェルール１１をスリーブ１５の両端から挿入して、該スリーブ１５の内部で凸球面状に研磨加工した先端面１１ｂ同士を当接させるようにした構造となっている。
【０００６】
上記光コネクタでは、低損失でかつ低反射の光接続を保障するため、プラグ１０の組立後、光学特性の測定が行われる。測定項目としては、プラグ１０の接続部での光の透過率を示す接続損失と、光の反射率を示す反射減衰量とがある。
【０００７】
この光コネクタの接続損失を低減させるには、フェルールの性能中で、同心度、内径、角度ずれの各寸法精度のタイト化が要求される。また、低接続損失を実現するには、割スリーブの接続損失、光ファイバの外径とフェルールの内径との関係の重要性も指摘されている。
【０００８】
光コネクタの低接続損失化への要求は、光コネクタをランダムに接続した状態で０．１ｄＢ以内が要求されている。このような要求に対し、ランダム接続を統計的に処理して、接続損失の統計分布を算出するシミュレータを用いて計算したところ、フェルールの内径と光ファイバの外径との関係が最も重要であることがわかった。
【０００９】
ランダム接続による上記低接続損失の要求値を満たすためには、光ファイバの外径の最大値をａμｍとしたとき、フェルールの内径をａ＋（０．１〜０．６）μｍの範囲内とする必要性がある。
【００１０】
従来のフェルールの内径の分布のヒストグラムを図７（ａ）に示す。
【００１１】
フェルール内径の規格値が１２５．０〜１２６．０μｍ、下限値２が１２５．０μｍ、上限値１が１２６．０μｍ、規格の中間値が１２５．５μｍであり、階級値を値の小さいものから順に１２５．０５、１２５．１５．１２５．２５、・・・・、１２５．９５μｍと１０階級に分けており、階級値は階級区間の中心値を示し、例えば１２５．０５は１２５．０〜１２５．１μｍを示す。また、ヒストグラムの縦軸の頻度は度数を表している。
【００１２】
ここで、上述したようにフェルールの内径を０．５μｍレンジにするには、階級の中で度数の高い部分つまりモードを中心とした階級郡を良品として選別して、一例であるが、選別された下限値２’を１２５．２μｍ、選別された上限値１’を１２５．７μｍとして、１２５．２〜１２５．７μｍの範囲内を納入ロットの形態としていた。
【特許文献１】特開平７−２４８１１号公報
【発明の開示】
【発明が解決しようとする課題】
【００１３】
しかしながら、図７（ａ）に示す従来の選別方法では、１２５．２μｍ未満、１２５．７μｍを超える階級のものは選別され不良品として廃棄されるので、フェルールの価格をかえって高くしなければならないこととなり、そうなると経済性が最重要課題となっているＦＴＴＰへの採用にはいたらなくなるという課題を生じている。
【００１４】
そこで、フェルール内径加工方法を改善して図７（ｂ）に示すような１２５．０〜１２５．５μｍの０．５μｍレンジに入れ込むように、種々試みられてはいるが、セラミックスの研磨加工で、サブミクロンレンジの寸法範囲に入れ込むことは非常に困難であり、結局は図７（ａ）で示すように、選別を行って１２５．２μｍ未満、１２５．７μｍを超える階級のものは不良品として廃棄して納入ロットの形態とする方法しかなく、フェルール価格低減要求の中、フェルール製造業者は死活問題の厳しい局面を迎えている。
【課題を解決するための手段】
【００１５】
本発明はかかる課題を解決するもので、上限値及び下限値が規定されたロット単位で納入する部品の販売方法であって、納入されるロット単位での寸法もしくは特性値の階級毎の度数分布が、以下のいずれかを満たすようにした。
【００１６】
即ち、階級毎の度数分布が、モードから最小頻度の階級値を引いた値が正であり、上限値がモード近傍でモードより大きな値としたことを特徴とする。
【００１７】
または、階級毎の度数分布が、モードから最小頻度の階級値を引いた値が負であり、下限値がモード近傍でモードより小さな値としたことを特徴とする。
【００１８】
また、上記部品の販売方法において、上限値間近の階級の度数と下限値間近の階級の度数との比が５以上であることを特徴とする。
【００１９】
更には、上記記載のモード近傍でありかつモードより大きな値、もしくはモード近傍でありかつモードより小さな値は、上限値と下限値の差の３５％以内であることを特徴とする。
【００２０】
しかも、納入部品の、ロット毎の寸法もしくは特性の分布データ、および価格と納期を格納するデータベース部と、顧客側の要求仕様を入力する入力手段部と、該入力手段部から得た情報に基づき、前記データベース部から必要情報を取り出し、最適な寸法もしくは特性の分布データを有する部品ロット及びその下限値及び上限値をシミュレータにより選定するシミュレーション部と、選定した最適な部品ロットの、寸法もしくは特性の分布データ、および納期と価格からなる見積書を表示する出力手段部とを有することを特徴とする。
【００２１】
また、上記入力手段部と出力手段部とが同一のワークステーション部からなることを特徴とする。
【００２２】
しかも、上記データベース部と、入力手段部と、シミュレーション部と、出力手段部と、生産管理部のうち少なくとも２以上がインターネット部を介して情報を送受することを特徴とする。
【００２３】
また、上記データベース部と、入力手段部と、シミュレーション部と、出力手段部のうち少なくとも２以上が同一のマシン上にあることを特徴とする。
【００２４】
更には、上記部品が光コネクタ用部品であることを特徴とする。また、上記部品がフェルールであり、寸法として内径値の階級毎の度数分布を用いることを特徴とする。
【発明の効果】
【００２５】
このように、本発明によれば、上限値及び下限値が規定されたロット単位で納入する部品の販売方法であって、納入されるロット単位での寸法もしくは特性値の階級毎の度数分布が、モードから最小頻度の階級値を引いた値が正であり上限値がモード近傍でモードより大きな値とするか、あるいはモードから最小頻度の階級値を引いた値が負であり下限値がモード近傍でモードより小さな値とすることで、選別により規格外になった部分を他に転用することで、当該納入ロットの価格をあげることなく、ＦＴＴＰで要求される低接続損失光コネクタを組み込むことができ、もってＦＴＴＰの普及、促進に大いに貢献することができる。
【発明を実施するための最良の形態】
【００２６】
以下本発明の実施形態として、光コネクタ用部品であるフェルールの販売方法を例にとって説明する。
【００２７】
低接続損失光コネクタを作成するには、光コネクタ間のランダム接続による接続損失をフェルールの同心度、内径、角度ずれ、光ファイバの外径、スリーブの接続損失をパラメータとしてシミュレータを用いて計算すると、ランダム接続での接続損失は９７％の累積確率で０．１ｄＢ以下を達成するためには、光ファイバの外径精度として±０．１μｍが必要となる。また、スリーブの接続損失として０．０３ｄＢ以下が必要となる。
【００２８】
フェルールに要求される寸法精度は、同心度、内径、角度ずれであり、このうちで角度ずれは、作成方法により０．０５°以下に出来るため、接続損失にはほとんど影響を与えないが、作成方法の簡略化により精度が落ちた場合には、他の性能と同様な規定を設ける必要がある。
【００２９】
次に同心度については、前述のランダム接続による接続損失のシュミュレーションにより、同心度が１μｍ以内では接続損失にあたえる与える影響が少ないことがすでに判明している。
【００３０】
そこで、図１に本発明のフェルールの内径の分布のヒストグラムの一例を示す。
【００３１】
フェルールの内径は、１２４．８〜１２４．９μｍの光ファイバの外径に対し、下限値２が１２５．０μｍ、中央値１２５．２５μｍ、上限値１が１２５．５μｍ、下限値２と上限値１の差であるレンジで０．５μｍのものが要求される。
【００３２】
本発明は、上限値１及び下限値２が規定されたロット単位で納入する部品の販売方法であって、納入されるロット単位での寸法もしくは特性値の階級毎の度数分布が、モード３から最小頻度の階級値６を引いた値が正であり、上限値１がモード３近傍でモード３より大きな値としてある。
【００３３】
なお、後述するように、モード３から最小頻度の階級値６を引いた値が負であり、下限値２がモード３近傍でモード３より小さな値とすることもできる。
【００３４】
ここで、モード３とは最頻値ともよばれ、ヒストグラム中の中で度数が一番大きな階級の階級値をいう。
【００３５】
フェルール内径の規格値が１２５．０〜１２５．５μｍ、下限値２が１２５．０μｍ、上限値１が１２５．５μｍ、規格の中間値が１２５．２５μｍであり、階級値を値の小さいものから順に１２５．０５、１２５．１５．１２５．２５、１２５．３５、１２５．４５μｍと５階級に分けており、階級値は階級区間の中心値を示し、例えば１２５．０５μｍは１２５．０〜１２５．１μｍを示す。また、ヒストグラムの縦軸の頻度は度数を表す。
【００３６】
図１の場合は、モード３が１２５．３５μｍであり、最小頻度の階級値６が１２５．０５μｍであり、モード３から最小頻度の階級値６を引いた値が正であり、上限値１が１２５．５μｍとモード３近傍でありかつモード３より大きな値である。
【００３７】
ロット単位で納入する部品の販売方法を、このようにすることにより、選別により規格外になった部分を他に転用することで、当該納入ロットの価格をあげることなく、ＦＴＴＰで要求される低接続損失光コネクタを組み込むことができ、もってＦＴＴＰの普及、促進に大いに貢献することができる。
【００３８】
ここで、選別により規格外になった部分とは、内径寸法が１２５．５μｍを超えたものをいい、低接続損失用のフェルールとしては、光ファイバの外径が１２５．３〜１２５．４μｍ用に納入すればよい。また低接続損失を要求しない一般接続損失のフェルールとしては、要求寸法規格が内径１２５．５〜１２６．５μｍの範囲なので、そのまま転用することが可能となる。
【００３９】
つまり、本発明の販売方法によれば、製造したフェルールを選別したとしても、規格外となったものを廃棄することなく、転用して客先に納入することが可能となるので、フェルールの価格を上げる必要がなくなる。
【００４０】
次に、上記部品の販売方法において、上限値１間近の階級の度数と下限値２間近の階級の度数との比が５以上であることが望ましい。図１の例では上限値１間近の階級である１２５．４５μｍでは度数が１８３個であり、下限値２間近の階級である１２５．０５μｍの度数が９であるので、その比が５以上である。
【００４１】
上限値１間近の階級の度数と下限値２間近の階級の度数との比が５未満であると、上限値１もしくは下限値２から外れた部分が少なくて、大半が規格内に入る場合か、もしくは図７（ａ）の従来例に示すように、階級の上側及び下側が選別により除外された場合となる。
【００４２】
次に、本発明でのモード３近傍でありかつモード３より大きな値、もしくはモード３近傍でありかつモード３より小さな値は、上限値１と下限値２の差の３５％以内であることを特徴とする。
【００４３】
図１の例では、モード３である１２５．３５μｍの近傍でありかつモード３より大きな値で３５％とは、上限値１と下限値２との差が０．５μｍなので０．１７５μｍとなり、上限値１は１２５．５２５μｍ以内となり、この場合の上限値１は１２５．５μｍである。
【００４４】
モード３近傍でありかつモード３より大きな値、もしくはモード３近傍でありかつモード３より小さな値は、上限値１と下限値２の差の３５％を超えた場合には、上限値１もしくは下限値２から外れた部分が少なくて、大半が規格内に入る場合か、もしくは図４（ａ）の従来例に示すように、階級の上側及び下側が選別により除外された場合となる。
【００４５】
次に、図２は本発明の他の実施形態について説明する。
【００４６】
図２（ａ）は上限値１がモード３に近接している場合である。図２（ｂ）（ｃ）は図１と逆のケースで、モード３から最小頻度の階級値６を引いた値が負であり、下限値２がモード３近傍でありかつモード３より小さな場合である。このうち、図２（ｂ）は下限値２がモード３に近接している場合である。
【００４７】
上記いずれの度数分布の形態をとっても、上述した図１の実施形態と同一の効果を奏することが出来る。
【００４８】
次に、図３（ａ）、（ｂ）は光ファイバの外径１２４．８〜１２４．９μｍ、スリーブの接続損失０．０３ｄＢ以下、かつフェルールの内径寸法の分布が図１に示す特性であると仮定して、ランダム接続のシミュレータを用いて計算したときの結果である。図３（ａ）はピグテールを作成した後、接続損失が最小になるようなチューニングをしなかったもの、図３（ｂ）はチューニングを実施したものである。
【００４９】
図３(ａ)の条件では接続損失は、９７％の累積確率で０．１２ｄＢ、図３（ｂ）の結果では、０．０８ｄＢが達成しており、９７％の累積確率で０．１ｄＢの規格をほぼ満たすことが確認できる。
【００５０】
これらの結果から、フェルールの特性として、内径寸法の上限値１及び下限値２が規定されたロット単位で納入する部品の販売方法において、納入されるロット単位での寸法もしくは特性値の階級毎の度数分布が、モード３から最小頻度の階級値６を引いた値が正であり上限値１がモード３近傍でモード３より大きな値とするか、あるいはモード３から最小頻度の階級値６を引いた値が負であり下限値２がモード３近傍でモード３より小さな値とすることが要求されることがわかる。
【００５１】
次に図４を用いて本発明の部品販売システムについて、光コネクタを一例として詳細に説明する。
【００５２】
ワークステーション部２３は顧客要求仕様を入力する入力手段部２１と、選定した最適な部品ロットの、寸法もしくは特性の分布データ、および納期と価格からなる見積書を表示する出力手段部２２と、最終的な顧客からの注文データを入力する入力手段部２８と、その注文データを生産部門もしくは在庫管理部門に指示を与える出荷表示部２９からなる。
【００５３】
ワークステーション部２３はキーボードとディスプレイと演算処理部を有する単一の機器であることが望ましく、例えばパーソナルコンピュータを用いることが望ましい。
【００５４】
ここで、ワ−クステーション部２３は顧客側に端末を有することでも、部品販売の営業側が端末を有することでもかまわない。
【００５５】
次に、該入力手段部２１から得た情報に基づき、最適な部品の寸法もしくは特性の分布をシミュレーションし、その結果とデータベース部２５から取り出したロット毎の情報を比較し、最適な寸法もしくは特性の分布データを有する部品ロットを選定するシミュレーション部２４を有する。
【００５６】
シミュレーションでは、最適なロットとその上限値と下限値の選定を行うことも可能とする。
【００５７】
ここで、シミュレーション方法としては、基本的に統計処理しておこなうことができる。
【００５８】
データベース部２５には部品のロット毎の寸法もしくは特性の分布データ、および価格と納期を格納してある。単一の部品だけではなく複数の部品のデータを格納しておくことでもよい。
【００５９】
また、データベース部２５に適切な情報がない場合には、生産管理部２６に情報を伝達し、該生産管理部２６から条件にあった部品ロットの情報をデータベース部に２５入力し、しかも新規データとして該データベース部に登録することにより、データを逐次更新する。
【００６０】
生産管理部２６では、データベース部２５に登録していないデータを格納しておくことと、要求されるデータが全く新規なものであれば、生産工程、加工設備、加工治具等根本的に見直しをする必要がある。そのために生産管理部２６はコンピュータ等にて演算処理するだけではなく生産管理者の判断も必要となる。
【００６１】
また、本発明の部品の販売方法において、データベース部２５と、入力手段部２１、２８と、シミュレーション部２４と、出力手段部２２のうち少なくとも２以上が同一のマシン上にあることが特徴であり、例えば入力手段部２１と出力手段部２２が同一マシンであるワークステーション部２１としてもよいし、該ワークステーション部２１、２８が入力手段部２１と出力手段部２２とに別々に分離しており、シミュレーション部２４とデータベース部２５とが同一マシンからなるものでもよい。このようにデータベース部２５と、入力手段部２１と、シミュレーション部２４と、出力手段部２２のうち少なくとも２２以上が同一のマシン上にあることにより、システム全体の価格を低減し、これにより最終的には顧客にて組み立てる光コネクタのコストを低減することが可能となる。
【００６２】
次に、図５を用いてインターネット部２７を用いた本発明の部品の販売方法について説明する。
【００６３】
本発明の部品の販売方法において、データベース部２５と、入力手段部２１、２８と出力手段部２２を有するワークステーション部２３、シミュレーション部２４、生産管理部２６のうち少なくとも２以上がインターネット部２７を介して情報を送受することにより、時間や場所に制約がなく、瞬時に顧客へ見積もりを提出可能となり、それにより納入部品のコスト低減および納期短縮につながり、それが最終的には顧客にて組み立てる製品のコストを低減することが可能となる。
【００６４】
また、この中でデータベース部２５と、ワークステーション部２３、シミュレーション部２４、生産管理部２６の全てがインターネット部２７にて接続されていることが時間短縮のためには特に望ましいが、ファイヤウォール等の情報漏洩対策や、ウイルス感染防止対策をとる必要性があることはいうまでもない。
【００６５】
以上より、本発明は、上限値１及び下限値２が規定されたロット単位で納入する部品の販売方法であって、納入されるロット単位での寸法もしくは特性値の階級毎の度数分布が、モード３から最小頻度の階級値６を引いた値が正であり上限値１がモード３近傍でモードより大きな値とするか、あるいはモードから最小頻度の階級値を引いた値が負であり下限値２がモード３近傍でモード３より小さな値とすることで、フェルールの性能をロット単位で規定する販売方法を提供するものである。
【００６６】
また、上述した実施形態ではフェルールの内径について規定したが、その他の寸法や特性を規定することも可能である。また、本発明は光コネクタ用フェルールに限らず、さまざまな部品の販売方法に適用することが可能である。
【実施例】
【００６７】
以下、本発明の実施例を示す。
【００６８】
本発明例ではフェルールの内径寸法を１２５．０〜１２６．０μｍの範囲内に入るように１０００個製造して、１２５．０〜１２５．５μｍまでの分を選別し、１２５．５を超える部分については、１２５．５〜１２６．５の規格範囲内にある一般接続損失用フェルールに転用した。
【００６９】
比較例として、従来の方法として、フェルールの内径寸法を１２４．７〜１２５．７μｍの範囲に本発明例同様に１０００個製造して、１２５．０〜１２５．５μｍまでの分を選別し、１２５．０未満及び１２５．５を超える部分については廃棄した。
【００７０】
次に、外径が１２４．８〜１２４．９μｍの光ファイバを準備し、この光ファイバを用いて光コネクタの組み立てを行った。
【００７１】
これらの光コネクタの接続損失を評価するアダプタは、光ファイバコア位置がフェルール外径の中心に対して軸ずれが０．１μｍ以下であるマスタ光コネクタを用い、その接続損失が０．０３ｄＢ以下となるものを用いた。
【００７２】
作成した各１０００端末の光コネクタから任意の１０本（２０端末）の光コネクタを選別し、相互ランダム接続損失を測定した所、本発明例及び従来例ともにはシミュレーション結果と同じように０．１ｄＢ以下の結果を得ることが出来た。
【００７３】
ここで、本発明及び従来例でのフェルールの内径の階級毎の全データと規格内、転用分、廃棄分の度数を表1に示す。
【００７４】
上記より、従来例では１０００個中８４１個を規格内に使うことができ、残りは
廃棄したために、総合歩留まりが８４．１％という結果となったのに対し、本発明では１０００個中、低接続損失の規格内には４９９個使え、残りの５０１個は一般接続損失用に転用して全て使うことが出来た。そのため廃棄がないので総合歩留まりが１００％という結果となった。
【表１】
2005316522.tif 000003
【００７５】
以上の結果より、上限値１及び下限値２が規定されたロット単位で納入する部品の販売方法であって、納入されるロット単位での寸法もしくは特性値の階級毎の度数分布が、モード３から最小頻度の階級値６を引いた値が正であれば、上限値１がモード３近傍でありかつモード３より大きな値とし、モード３から最小頻度の階級値６を引いた値が負であれば、下限値２がモード３近傍でありかつモード３より小さな値とすることで、選別により規格外になった部分を他に転用することで、当該納入ロットの価格をあげることなく、低接続損失光コネクタを組み込むことができる。
【産業上の利用可能性】
【００７６】
さらに、本発明は光コネクタ用フェルールに限らず、下限値及び下限値が規定されたロット単位で納入するさまざまな部品の販売方法に適用することができる。
【図面の簡単な説明】
【００７７】
【図１】本発明の部品の販売方法におけるフェルールの内径寸法のヒストグラムである。
【図２】本発明の部品の販売方法におけるフェルールの内径寸法のヒストグラムである。
【図３】光コネクタの接続損失のヒストグラムであり、（ａ）はチューニングをしなかったもの、（ｂ）はチューニングを実施したものである。
【図４】本発明の部品の販売方法の流れを示す図である。
【図５】本発明の部品の販売方法の全体構成を示す図である。
【図６】一般的な光コネクタを示す断面図である。
【図７】従来の部品の販売方法におけるフェルールの内径寸法のヒストグラムである。
【符号の説明】
【００７８】
１：  上限値
１’：  選別された上限値
２：  下限値
２’：  選別された下限値
３：  モード
４：  下限値真近の階級
５：  上限値真近の階級
６：  最小頻度の階級値
１０：プラグ
１１：フェルール
１１ａ：貫通孔
１１ｂ：先端面
１２：ファイバ保護具
１３：光ファイバ
１４：接着剤
１５：スリーブ
２１：入力手段部
２２：出力手段部
２３：ワークステーション部
２４：シミュレーション部
２５：データベース部
２６：生産管理部
２７：インターネット部
２８：入力手段部
２９：出荷指示部
【図１】
2005316522.tif 000004
【図２】
2005316522.tif 000005
【図３】
2005316522.tif 000006
【図４】
2005316522.tif 000007
【図５】
2005316522.tif 000008
【図６】
2005316522.tif 000009
【図７】
2005316522.tif 000010